(57)【要約】【課題】受信可能である全ての放送局から提供される番組情報を短時間で取得可能な電子機器を提供することを目的とする。【解決手段】検索部１５は第１のネットワーク情報記憶部１３ａに記憶される情報に対し、未取得状態のネットワーク識別子の値を検索する。検索部１５は未取得状態のネットワーク識別子を発見すると、当該ネットワーク識別子に対応するネットワークを選局するように復調部１１に制御信号を送信し、当該ネットワークに係る電波を復調する。復調後、ネットワーク識別子を抽出して、検索以前に未取得状態であったフラグの内容を取得済みに書き換える。書換え後、検索部１５は第１のネットワーク情報記憶部１３ａにおいて、取得済みフラグの内容が未取得状態であるネットワーク識別子の値を検索する。検索後、未取得状態のネットワーク識別子を発見すれば、当該ネットワーク識別子に対応するネットワークを選局するように復調部１１を制御する。【選択図】  図２
2004282415.tif 000002
【特許請求の範囲】
【請求項１】
ネットワーク識別情報と前記ネットワーク識別情報の取得状態とを対応付けるテーブルと、
前記テーブルの前記ネットワーク識別情報の取得状態を検索する検索手段と、
前記検索手段で検索された前記ネットワーク識別情報の取得状態が未取得状態であるネットワークの電波を受信する受信手段と、
前記受信手段で受信された電波から番組情報を取得する取得手段と、
前記検索手段で検索された前記ネットワーク識別情報の取得状態を未取得状態から取得済み状態に変更する変更手段と、
を具備することを特徴とする電子機器。
【請求項２】
ネットワーク識別情報と前記ネットワーク識別情報の取得状態とを対応付けるテーブルと、
前記テーブルの前記ネットワーク識別情報の取得状態を検索する検索手段と、
前記検索手段で検索された前記ネットワーク識別情報の取得状態が未取得状態であるネットワークの電波を受信する受信手段と、
前記受信手段で受信された電波から番組情報を取得する取得手段と、
前記受信手段で受信された電波から前記ネットワーク識別情報を取得後、前記ネットワーク識別情報の取得状態を未取得状態から取得済み状態に変更する変更手段と、
を具備することを特徴とする電子機器。
【請求項３】
前記変更手段によって、前記ネットワーク識別情報の取得状態を未取得状態から取得済み状態へ変更した後、前記検索手段により前記ネットワーク識別情報の取得状態を再度検索することを特徴とする請求項１乃至２記載の電子機器。
【請求項４】
ネットワーク識別情報と前記ネットワーク識別情報の取得状態及び前記ネットワーク識別情報が示すネットワークの電波の受信累計時間とを対応づけるテーブルと、
前記テーブルの前記ネットワーク識別情報の取得状態を検索する第１の検索手段と、
前記第１の検索手段で検索された前記ネットワーク識別情報の取得状態が未取得状態の場合、前記テーブルの前記受信累計時間を検索する第２の検索手段と、
前記第２の検索手段で検索した結果、最も大きい前記受信累計時間の値に対応する前記ネットワーク識別情報が示すネットワークの電波を受信する受信手段と、
前記受信手段で受信された電波から番組情報を取得する取得手段と、
前記第１の検索手段で検索された前記ネットワーク識別情報の取得状態を未取得状態から取得済み状態に変更する変更手段と、
を具備することを特徴とする電子機器。
【請求項５】
ネットワーク識別情報と前記ネットワーク識別情報の取得状態及び前記ネットワーク識別情報が示すネットワークの電波の受信累計時間とを対応づけるテーブルと、
前記テーブルの前記ネットワーク識別情報の取得状態を検索する第１の検索手段と、
前記第１の検索手段で検索された前記ネットワーク識別情報の取得状態が未取得状態の場合、前記テーブルの前記受信累計時間を検索する第２の検索手段と、
前記第２の検索手段で検索した結果、最も大きい前記受信累計時間の値に対応する前記ネットワーク識別情報が示すネットワークの電波を受信する受信手段と、
前記受信手段で受信された電波から番組情報を取得する取得手段と、
前記受信手段で受信された電波から前記ネットワーク識別情報を取得後、前記ネットワーク識別情報の取得状態を未取得状態から取得済み状態に変更する変更手段と、
を具備することを特徴とする電子機器。
【請求項６】
前記変更手段によって、前記ネットワーク識別情報の取得状態を未取得状態から取得済み状態へ変更した後、前記第１の検索手段により前記ネットワーク識別情報の取得状態を再度検索することを特徴とする請求項３乃至４記載の電子機器。
【請求項７】
ネットワーク識別情報と前記ネットワーク識別情報の取得状態とを対応付けるテーブルを使用する番組情報取得手段において、
前記テーブルの前記ネットワーク識別情報の取得状態を検索し、
前記テーブルの前記ネットワーク識別情報の取得状態が未取得状態であるネットワークの電波を受信し、
前記受信された電波から番組情報を取得し、
前記検索された前記ネットワーク識別情報の取得状態を未取得状態から取得済み状態に変更することを特徴とする番組情報取得方法。
【請求項８】
ネットワーク識別情報と前記ネットワーク識別情報の取得状態とを対応付けるテーブルを使用する番組情報取得手段において、
前記テーブルの前記ネットワーク識別情報の取得状態を検索し、
前記テーブルの前記ネットワーク識別情報の取得状態が未取得状態であるネットワークの電波を受信し、
前記受信された電波から番組情報を取得し、
前記受信された電波から前記ネットワーク識別情報を取得後、前記ネットワーク識別情報の取得状態を未取得状態から取得済み状態に変更することを特徴とする番組情報取得方法。
【請求項９】
ネットワーク識別情報と前記ネットワーク識別情報の取得状態及び前記ネットワーク識別情報が示すネットワークの電波の受信累計時間とを対応づけるテーブルを使用する番組情報取得手段において、
前記テーブルの前記ネットワーク識別情報の取得状態を検索し、
前記検索された前記ネットワーク識別情報の取得状態が未取得状態の場合、前記テーブルの前記受信累計時間を検索し、
前記受信累計時間を検索した結果、最も大きい前記受信累計時間の値に対応する前記ネットワーク識別情報が示すネットワークの電波を受信し、
前記受信された電波から番組情報を取得し、
前記検索された前記ネットワーク識別情報の取得状態を未取得状態から取得済み状態に変更することを特徴とする番組情報取得方法。
【請求項１０】
ネットワーク識別情報と前記ネットワーク識別情報の取得状態及び前記ネットワーク識別情報が示すネットワークの電波の受信累計時間とを対応づけるテーブルと、
前記テーブルの前記ネットワーク識別情報の取得状態を検索し、
前記検索された前記ネットワーク識別情報の取得状態が未取得状態の場合、前記テーブルの前記受信累計時間を検索し、
前記受信累計時間を検索した結果、最も大きい前記受信累計時間の値に対応する前記ネットワーク識別情報が示すネットワークの電波を受信し、
前記受信された電波から番組情報を取得し、
前記受信された電波から前記ネットワーク識別情報を取得後、前記ネットワーク識別情報の取得状態を未取得状態から取得済み状態に変更することを特徴とする番組情報取得方法。
【請求項１１】
前記ネットワーク識別情報の取得状態を未取得状態から取得済み状態へ変更した後、前記ネットワーク識別情報の取得状態を再度検索することを特徴とする請求項６乃至９記載の番組情報取得方法。
【発明の詳細な説明】
【０００１】
【発明の属する技術分野】
本発明は、デジタル放送受信対応電子機器、特に地上デジタルテレビジョン放送受信対応電子機器及びデジタルテレビジョン放送用番組取得方法に関する。
【０００２】
【従来の技術】
近年、デジタル方式で放送を行うデジタル放送システムが実用化されている。この放送システムでは、動画像符号化圧縮方式であるＭＰＥＧ（Ｍｏｖｉｎｇ  Ｐｉｃｔｕｒｅ  Ｅｘｐｅｒｔｓ  Ｇｒｏｕｐ）方式により、高能率圧縮符号化された複数チャンネル分の符号化画像データを多重化して伝送するデジタル伝送システムが採用されている。このＭＰＥＧ方式を採用したデジタル伝送システムに関しては、「ＩＳＯ／ＩＥＣ１３８１８−１」の文献等に記載されている。
【０００３】
放送局側では上述したＭＰＥＧ方式を用いて、番組を構成するデジタル映像及び音声データと付加情報データとをそれぞれ圧縮処理を行い、多重信号で形成されるＴＳ（Ｔｒａｎｓｐｏｒｔ  Ｓｔｒｅａｍ）という形式でこれらのデータを放送する。
【０００４】
さらにこれらの多重化信号に加え、番組情報データとして、映像データと音声データ及び付加情報データを識別するためのＰＩＤ（Ｐａｃｋｅｔ  ＩＤｅｎｔｉｆｙ）、番組を構成している各要素信号の情報及び有料放送の番組情報を受信するための情報であるＰＭＴ（Ｐｒｏｇｒａｍ  Ｍａｐ  Ｔａｂｌｅ）、放送局から伝送される多重信号の中から各番組のＰＭＴを抽出するための情報であるＰＡＴ（Ｐｒｏｇｒａｍ  Ａｓｓｏｃｉａｔｉｏｎ  Ｔａｂｌｅ）、有料放送の個別情報を受信するための情報であるＣＡＴ（Ｃｏｎｄｉｔｉｏｎａｌ  Ａｃｃｅｓｓ  Ｔａｂｌｅ）及びネットワークに関する情報が記載されるＮＩＴ（Ｎｅｔｗｏｒｋ  Ｉｎｆｏｒｍａｔｉｏｎ  Ｔａｂｌｅ）等が時分割多重化されて伝送される。
【０００５】
上記で示した番組情報データ以外に、編成チャネルに関する情報及び放送事業者に関する情報であるＳＤＴ（Ｓｅｒｖｉｃｅ  Ｄｅｓｃｒｉｐｔｉｏｎ  Ｔａｂｌｅ）及び個々の番組の案内（番組名称、放送日時、番組内容説明等）に関する情報であるＥＩＴ（Ｅｖｅｎｔ  Ｉｎｆｏｒｍａｔｉｏｎ  Ｔａｂｌｅ）等も時分割多重化されて伝送される。
【０００６】
ＰＡＴ、ＰＭＴ、ＮＩＴ、ＣＡＴ等は番組特定情報（ＰＳＩ（ＰｒｏｇｒａｍＳｐｅｃｉｆｉｃ  Ｉｎｆｏｒｍａｔｉｏｎ））呼ばれ、ＳＤＴ、ＥＩＴ等は番組配列情報（ＳＩ（Ｓｅｒｖｉｃｅ  Ｉｎｆｏｒｍａｔｉｏｎ））と呼ばれる。
【０００７】
ところでデジタル放送の実用化によって、放送局は多くの情報を送信することが可能となり多チャンネル化が進行する。この多チャンネル化に対応するために、受信機に蓄積される番組情報を用いて番組検索を行い、その検索結果をモニタ等に提示することで、ユーザが視聴したい番組を容易に選択可能とする機能が開発されている。
【０００８】
この機能に基いてジャンル検索機能が形成される。ジャンル形成機能とは、受信される番組情報を予めジャンルごとに分類しておき、ユーザがあるジャンルに属する番組を検索したい場合、受信機に蓄積された番組情報から当該ジャンルに基いて絞り込み検索を行うことで、結果として得られた番組情報を提示する機能である。
【０００９】
このジャンル分類を行うために必要な情報は、受信されるＴＳ中のＥＩＴに記載されている。ＥＩＴは各種の記述子で構成されており、その一つとしてコンテント記述子がある。
【００１０】
コンテント記述子には、番組情報をジャンル分けするための情報である「大分類」「中分類」の記述がなされている。「大分類」とは、番組情報を大きく分類分けしたものであり、「中分類」とは、番組情報を「大分類」より更に分類分けしたものである。例えば「大分類」としてニュース、スポーツ、映画等が考えられる。さらに「大分類」がニュースであれば、この「大分類」に対応する「中分類」として、天気、政治、経済等が考えられる。
【００１１】
上記に説明したジャンル分類された番組の検索手段に係る発明がなされていた（特許文献１参照。）。
【００１２】
【特許文献１】
特開２００１−８１２４号公報（第２頁、第１図）
【００１３】
【発明が解決しようとする課題】
しかし、上述した従来技術は以下に説明する問題点を有する。デジタル放送対応の受信機が、複数の放送局がそれぞれ運営するネットワーク群の跨るエリア内に存在する場合、複数の放送局からそれぞれ送信されるＴＳを受信することが可能である。しかし当該受信機がある放送局から送信されるＴＳを受信していなければ、このＴＳに含まれるＥＩＴを取得することは不可能であるので、この放送局が提供する番組情報を取得することが不可能である。
【００１４】
取得済みではないＥＩＴを取得するために以下に説明する操作が必要であった。
【００１５】
この操作とは、まず、ある放送局が提供するチャンネルを、ＥＩＴの取得完了に必要な時間が経過するまで選局し、この放送局の番組情報が記載されるＥＩＴ情報を取得完了させる。さらに、前記ある放送局と異なる放送局が提供するチャンネルを選局し、前記と同様の方法でＥＩＴ情報を取得完了させる。このように、順次、放送局が提供するチャンネルを選局して、全ての放送局が提供するＥＩＴ情報、すなわち番組情報を取得する。
【００１６】
上記説明した方法に基いて、受信可能である全ての放送局から提供される番組情報を取得する場合、これらの番組情報を取得するための相当な時間を必要とした。
【００１７】
そこで、本発明は上記問題を鑑みてなされたもので、受信可能である放送局から提供される番組情報を短時間で取得可能な電子機器を提供することを目的とする。
【００１８】
【課題を解決するための手段】
上記目的を達成するために、請求項１に係る発明では、ネットワーク識別情報とネットワーク識別情報の取得状態とを対応付けるテーブルと、テーブルのネットワーク識別情報の取得状態を検索する検索手段と、検索手段で検索されたネットワーク識別情報の取得状態が未取得状態であるネットワークの電波を受信する受信手段と、受信手段で受信された電波から番組情報を取得する取得手段と、検索手段で検索されたネットワーク識別情報の取得状態を未取得状態から取得済み状態に変更する変更手段とを具備することを特徴とする。
【００１９】
このような構成により、受信可能である放送局から提供される番組情報を短時間で取得することが可能となる。
【００２０】
また、請求項４に係る発明では、ネットワーク識別情報とネットワーク識別情報の取得状態及びネットワーク識別情報が示すネットワークの電波の受信累計時間とを対応づけるテーブルと、テーブルのネットワーク識別情報の取得状態を検索する第１の検索手段と、第１の検索手段で検索されたネットワーク識別情報の取得状態が未取得状態の場合、テーブルの前記受信累計時間を検索する第２の検索手段と、第２の検索手段で検索した結果、最も大きい受信累計時間の値に対応するネットワーク識別情報が示すネットワークの電波を受信する受信手段と、受信手段で受信された電波から番組情報を取得する取得手段と、第１の検索手段で検索されたネットワーク識別情報の取得状態を未取得状態から取得済み状態に変更する変更手段とを具備することを特徴とする。
【００２１】
このような構成により、受信可能である放送局から提供される番組情報を優先順位をつけて、かつ短時間で取得することが可能となる。
【００２２】
また、請求項７に係る発明では、ネットワーク識別情報とネットワーク識別情報の取得状態とを対応付けるテーブルを使用する番組情報取得手段において、テーブルのネットワーク識別情報の取得状態を検索し、テーブルのネットワーク識別情報の取得状態が未取得状態であるネットワークの電波を受信し、受信された電波から番組情報を取得し、検索されたネットワーク識別情報の取得状態を未取得状態から取得済み状態に変更することを特徴とする。
【００２３】
このような構成により、受信可能である放送局から提供される番組情報を短時間で取得することが可能となる。
【００２４】
また、請求項９に係る発明では、ネットワーク識別情報とネットワーク識別情報の取得状態及びネットワーク識別情報が示すネットワークの電波の受信累計時間とを対応づけるテーブルを使用する番組情報取得手段において、テーブルのネットワーク識別情報の取得状態を検索し、検索されたネットワーク識別情報の取得状態が未取得状態の場合、テーブルの受信累計時間を検索し、受信累計時間を検索した結果、最も大きい受信累計時間の値に対応するネットワーク識別情報が示すネットワークの電波を受信し、受信された電波から番組情報を取得し、検索されたネットワーク識別情報の取得状態を未取得状態から取得済み状態に変更することを特徴とする。
【００２５】
このような構成により、受信可能である放送局から提供される番組情報を優先順位をつけて、かつ短時間で取得することが可能となる。
【００２６】
【発明の実施の形態】
以下、本発明に係る実施の形態を、地上デジタルテレビジョン放送用受信機（情報処理装置）に適用して説明する。
【００２７】
図１は、地上デジタルテレビジョン放送用受信機のシステムブロック図である。
【００２８】
受信部１０は、放送局から送信されるデジタルテレビジョン放送用信号を受信する。復調部１１は受信部１０で受信された信号を復調処理し、ビットストリームを生成する。復号化部１２はビットストリームを復号化し、トランスポートストリームを生成する。さらに、このトランスポートストリームから番組情報等を抽出する。記憶部１３は、抽出された番組情報に関する情報を記憶する。入力部１４には、記憶部１３に記憶されている番組情報を用いて、視聴者が求める番組情報を得るための絞り込み条件が入力される。抽出部１６は入力部１４に入力された絞り込み条件を受け取る。抽出部１６が絞り込み条件を受け取った後、検索部１５は記憶部１３に記憶されている番組情報に関する情報に対し検索を開始する。さらに検索部１５は記憶部１３に記憶されている番組情報に関する情報に対して行われた検索結果に基いて、復調部１１を制御する。検索部１５による記憶部１３に記憶されている番組情報に関する情報に対する検索後、抽出部１６は記憶部１３に記憶されている番組情報から絞り込み条件に該当する番組情報を抽出する。表示部１７は、抽出部１６が抽出した絞り込み条件に該当する番組情報を表示する。
【００２９】
第１の実施形態を説明する。
【００３０】
図２は、第１の実施形態を示すシステムブロック図である。
【００３１】
図３は、第１のネットワーク情報記憶部に記憶されるテーブルである。
【００３２】
図４は、第１の実施形態を説明するフローチャートである。
【００３３】
図２に示される第１の実施形態を示すシステムブロック図の構成は、図２を用いて説明したシステムブロック図の構成と似た構成をとる。記憶部１３に、トランスポートストリームから抽出されるＮＩＴに記載されるネットワーク情報を記憶する第１のネットワーク情報記憶部１３ａ及び、トランスポートストリームから抽出されるＥＩＴに記載される番組情報を記憶する番組情報記憶部１３ｂを設ける。
【００３４】
図３に第１のネットワーク情報記憶部１３ａに記憶されるとともに、テーブルとして纏められる情報を示す。このテーブルは、復号化部１２で生成されるトランスポートストリームから抽出されるＮＩＴに記載されるネットワーク識別情報に係るネットワーク識別子ｔ１と、ネットワーク識別子を取得したか否かを示すフラグｔ２とを対応づけている。
【００３５】
フラグｔ２の初期値は、番組情報を未取得のネットワークであることを意味する内容（図３に示される“未取得ｔ３”）に設定されている。選択対象のネットワークに係るチャンネルを所定の時間、選局し、番組情報が記載されるＥＩＴの全データを取得完了すると、未取得ｔ３は番組情報が取得済みのネットワークであることを意味する内容（図３にされる“取得済みｔ４”）に書き換えられる。
【００３６】
また、番組情報記憶部１３ｂには復号化部１２で生成されるトランスポートストリームから抽出されるＥＩＴに記載される番組情報が記憶される。番組情報記憶部１３ｂに記憶される番組情報は、トランスポートストリームからネットワーク識別子が抽出される際、当該トランスポートストリームから抽出される。
【００３７】
図４に示されるフローチャートを用いて、制御の流れを説明する。
【００３８】
入力部１４に、視聴者が求める番組情報を取得するための絞り込み条件が入力される。入力部１４に入力された絞り込み条件が抽出部１６に送信され、その後、検索部１５は第１のネットワーク情報記憶部１３ａに記憶されている情報に対して検索を開始する。この検索内容は、フラグｔ２の内容が“未取得ｔ３”状態であるネットワーク識別子ｔ１の値を検索する、という内容である（Ｓ１）。検索部１５は、“未取得ｔ３”状態であるネットワーク識別子を発見すると（Ｓ２ｙｅｓ）、当該ネットワーク識別子に対応するネットワークに係るチャンネルを選局するように復調部１１に制御信号を送信する（Ｓ３）。復調部１１はこの制御信号に基いて、所望のネットワークに係る電波を復調する。さらに、復調の結果、生成されたビットストリームを復号化部１２で復号化し、復号の結果、生成されたトランスポートストリームからネットワーク識別子を抽出して、検索以前に“未取得ｔ３”状態であったフラグｔ２の内容を“取得済みｔ４”に書き換える（Ｓ４）。
【００３９】
書換え後、検索部１５は再度、第１のネットワーク情報記憶部１３ａにおいて、取得済みフラグｔ２の内容が“未取得ｔ３”状態であるネットワーク識別子ｔ１の値を検索する（Ｓ２）。検索後、“未取得ｔ３”状態であるネットワーク識別子を発見したならば、ステップＳ２  ｙｅｓからステップＳ４までの制御を再び行う。
【００４０】
検索部１５が“未取得ｔ３”状態であるネットワーク識別子を発見しない場合（Ｓ２  ｎｏ）、つまり第１のネットワーク情報記憶部１３ａに記憶されるともにネットワーク識別子ｔ１に対するフラグｔ２の内容が全て“取得済みｔ４”状態である場合、番組情報記憶部１３ｂには、“取得済みｔ４”状態となった全てのネットワーク識別子の夫々に対応するネットワークに属する番組情報が記憶されている。この状態において、検索部１５は抽出部１６に対して番組情報抽出命令を出す（Ｓ５）。
【００４１】
この命令を受け、抽出部１６は番組情報記憶部１３ｂに記憶されている番組情報を抽出する。この抽出動作は、入力部１４から検索部１６に送信されている絞り込み条件に基いて行われる。絞り込み条件のうちジャンルコード等を用いて、番組情報記憶部１３ｂに記憶されている番組情報群から視聴者が求めるジャンルに該当する番組情報を抽出する（Ｓ６）。
【００４２】
抽出部１６が番組情報記憶部１３ｂに記憶されている番組情報群から抽出した番組情報は、表示部１７に表示される（Ｓ７）。
【００４３】
このような構成により、未取得のネットワーク識別子に対応するネットワークの所有する番組情報を全て取得することが可能となる。
【００４４】
第２の実施形態を説明する。
【００４５】
図５は、第２の実施形態を示すシステムブロック図である。
【００４６】
図６は、第２のネットワーク情報記憶部に記憶されるテーブルである。
【００４７】
図７は、第２の実施形態の制御を説明するフローチャートである。
【００４８】
図５に示される第２の実施形態を示すシステムブロック図の構成は、図２を用いて説明したシステムブロック図の構成と似た構成をとる。記憶部１３に、トランスポートストリームから抽出されるＮＩＴに記載されるネットワーク情報を記憶する第２のネットワーク情報記憶部１３ｃ及びトランスポートストリームから抽出されるＥＩＴに記載される番組情報を記憶する番組情報記憶部１３ｂを設ける。
【００４９】
図６に第２のネットワーク情報記憶部に記憶されるとともに、テーブルとして纏められる情報を示す。このテーブルは、復号化部１２で生成されるトランスポートストリームから抽出されるＮＩＴに記載されるネットワーク識別子ｔ１とネットワーク識別子を取得したか否かを示すフラグｔ２及び選択したネットワークに係るチャンネルを通じて放送される番組の視聴時間累計ｔ５とを対応づけている。
【００５０】
図７に示されるフローチャートを用いて、第２のネットワーク情報記憶部１３ｃに記憶されるネットワーク識別子の検索制御について説明する。
【００５１】
入力部１４に、視聴者が求める番組情報を取得するための絞り込み条件が入力される。入力部１４に入力された絞り込み条件は抽出部１６に送信され、その後、検索部１５は第２のネットワーク情報記憶部１３ｃに記憶されている情報に対して検索を開始する。この検索方法は、以下に説明する内容である。
【００５２】
まず、フラグｔ２の内容が“未取得ｔ３”状態であるネットワーク識別子ｔ１の値を検索する（Ｓ８）。しかし、フラグｔ２の内容が“未取得ｔ３”であるネットワーク識別子ｔ１が複数存在する場合（Ｓ９  ｙｅｓ）、視聴時間累計ｔ５の値が大きいネットワーク識別子ｔ１の値を検索する、という内容である（Ｓ１０）。
【００５３】
例えば、図６においてフラグｔ２が“未取得ｔ３”であるネットワーク識別子ｔ１は、ネットワーク２とネットワーク３及びネットワークｎの３つである。これらの中で視聴時間累計ｔ５の値の最も大きいものは、ネットワーク識別子ｔ１がネットワーク３の累計時間であるから、まずネットワーク３が該当する検索結果となる。
【００５４】
上記説明した方法で“未取得ｔ３”状態であるネットワーク識別子を発見し、それ以後の制御の流れは、図４で説明したステップＳ３以降の制御の流れと同様である。
【００５５】
このような構成により、未取得のネットワーク識別子に対応するネットワークの所有する番組情報を全て取得することが可能となる。さらに、何らかの原因で未取得のネットワークに属する番組情報取得動作が中断され、取得すべき全ての番組情報を取得していないが、視聴者が頻繁に視聴する番組に係るネットワークに属する番組情報を優先的に取得することが可能である。
【００５６】
本発明ではその主旨を逸脱しない範囲であれば、上記の実施形態に限定されるものではない。そして、地上波デジタルテレビジョン放送に関連する受信装置等に広く適用できるものである。
【００５７】
【発明の効果】
以上詳述した発明によれば、受信可能である放送局から提供される番組情報を短時間で取得することが可能となる。
【図面の簡単な説明】
【図１】地上デジタルテレビジョン放送用受信機のシステムブロック図。
【図２】第１の実施形態を示すシステムブロック図。
【図３】第１のネットワーク情報記憶部に記憶されるテーブル。
【図４】第１の実施形態を説明するフローチャート。
【図５】第２の実施形態を示すシステムブロック図。
【図６】第２のネットワーク情報記憶部に記憶されるテーブル。
【図７】第２の実施形態の制御を説明するフローチャート。
【符号の説明】
１０…受信部、１１…復調部、１２…復号化部、１３…記憶部、
１３ａ…第１のネットワーク情報記憶部、１３ｂ…番組情報記憶部、
１３ｃ…第２のネットワーク情報記憶部、１４…入力部、１５…検索部、
１６…抽出部、１７…表示部、
【図１】
2004282415.tif 000003
【図２】
2004282415.tif 000004
【図３】
2004282415.tif 000005
【図４】
2004282415.tif 000006
【図５】
2004282415.tif 000007
【図６】
2004282415.tif 000008
【図７】
2004282415.tif 000009